(57)【要約】  インダクタンスおよび誘導磁場の影響を低減させて、一のデバイスから他のデバイスへと大電流を流す半導体装置。第１領域の第１デバイスおよび第２領域の第２デバイスと、第１デバイスおよび第２デバイスを電気的に接続する接続導体と、を備え、接続導体は、当該接続導体に含まれる互いに逆向きの電流経路同士が少なくとも一部において隣接する半導体装置を提供する。接続導体は、第１デバイスから第２デバイスへと電流を流し、少なくとも一部において第２デバイスから第１デバイスへと向かう方向に電流を流す。
2016140008.tif 000002
【特許請求の範囲】
【請求項１】
第１領域の１以上の第１デバイスと、
第２領域の１以上の第２デバイスと、
前記第１デバイスおよび前記第２デバイスを電気的に接続する接続導体と、
を備え、
前記接続導体は、当該接続導体に含まれる互いに逆向きの電流経路同士が少なくとも一部において隣接する
半導体装置。
【請求項２】
前記接続導体は、前記第１デバイスから前記第２デバイスへと電流を流し、少なくとも一部において前記第２デバイスから前記第１デバイスへと向かう方向に電流を流す請求項１に記載の半導体装置。
【請求項３】
前記接続導体は、前記第２デバイスから前記第１デバイスへと電流を流し、少なくとも一部において前記第１デバイスから前記第２デバイスへと向かう方向に電流を流す請求項１に記載の半導体装置。
【請求項４】
前記接続導体は、前記第１デバイス側において前記第２デバイスから離れる方向に向く第１電流経路と、前記第１電流経路から折り返して前記第２デバイスへと近づく方向に向く第２電流経路と、を有する請求項１から３のいずれか一項に記載の半導体装置。
【請求項５】
前記接続導体は、前記第２デバイス側において前記第１デバイスから離れる方向に向く第３電流経路と、前記第３電流経路から折り返して前記第１デバイスへと近づく方向に向く第４電流経路と、を有する請求項４に記載の半導体装置。
【請求項６】
前記接続導体は、互いに隣接する前記電流経路同士で平行平板構造が形成される請求項１から５のいずれか一項に記載の半導体装置。
【請求項７】
前記第１領域に複数の前記第１デバイスを備え、
前記接続導体は、複数の前記第１デバイスをそれぞれ並列に接続する
請求項１から６のいずれか一項に記載の半導体装置。
【請求項８】
前記第２領域に複数の前記第２デバイスを備え、
前記接続導体は、複数の前記第２デバイスをそれぞれ並列に接続する
請求項１から７のいずれか一項に記載の半導体装置。
【請求項９】
前記接続導体は、
前記第１電流経路と、前記第２電流経路と、前記第３電流経路と、前記第４電流経路と、を含むメイン導体部と、
前記第１電流経路と複数の前記第１デバイスのそれぞれとの間を接続する複数の第１接続部と、
前記第３電流経路と複数の前記第２デバイスのそれぞれとの間を接続する複数の第２接続部と、
を備える
請求項５に記載の半導体装置。
【請求項１０】
前記第１領域に複数の前記第１デバイスを備え、
前記第２領域に複数の前記第２デバイスを備え、
複数の前記第１デバイスおよび複数の前記第２デバイスは、前記第１領域から前記第２領域に向かう方向に配列される
請求項１から９のいずれか一項に記載の半導体装置。
【請求項１１】
前記接続導体は、外部と接続され、外部と電流を授受する端子部を更に有する請求項１から１０のいずれか一項に記載の半導体装置。
【請求項１２】
基板をさらに備え、
前記基板に前記第１領域および前記第２領域が設けられている請求項１から１１のいずれか一項に記載の半導体装置。
【請求項１３】
前記基板は絶縁基板である請求項１２に記載の半導体装置。
【請求項１４】
前記第１デバイスおよび前記第２デバイスは、絶縁ゲートバイポーラトランジスタまたはパワーＭＯＳＦＥＴである請求項１から１３のいずれか一項に記載の半導体装置。
【発明の詳細な説明】
【技術分野】
【０００１】
本発明は、半導体装置に関する。
【背景技術】
【０００２】
従来、大電力を取り扱う半導体装置であるパワー半導体モジュールは、例えば、一の方向に電流を流す配線電極と、当該一の方向とは逆向きに電流を流す他の配線電極とを平行に近接させて、互いの配線電極に発生するインダクタンスおよび誘導磁場をキャンセルさせていた（例えば、特許文献１および２参照）。
特許文献１  特開平９−１７２１３９号公報
特許文献２  特開２００２−３５３４０７号公報
【発明の概要】
【発明が解決しようとする課題】
【０００３】
しかしながら、パワー半導体モジュールが有する回路構造によっては、キャンセルさせるように配置できる電流経路がない場合が生じていた。例えば、単に一のデバイスから他のデバイスに電流を供給するだけの電流経路しかない場合、逆向きに略同一の電流を流す電流経路が無いので、外部または内部のデバイスにインダクタンスおよび誘導磁場の影響を生じさせてしまうことがあった。
【課題を解決するための手段】
【０００４】
本発明の第１の態様においては、第１領域の第１デバイスおよび第２領域の第２デバイスと、第１デバイスおよび第２デバイスを電気的に接続する接続導体と、を備え、接続導体は、当該接続導体に含まれる互いに逆向きの電流経路同士が少なくとも一部において隣接する半導体装置を提供する。【０００５】
（一般的開示）
（項目１）
半導体装置は、第１領域の１以上の第１デバイスを備えてよい。
半導体装置は、第２領域の１以上の第２デバイスを備えてよい。
半導体装置は、第１デバイスおよび第２デバイスを電気的に接続する接続導体を備え手よい。
接続導体は、当該接続導体に含まれる互いに逆向きの電流経路同士が少なくとも一部において隣接してよい。
（項目２）
接続導体は、第１デバイスから第２デバイスへと電流を流してよい。
接続導体は、少なくとも一部において第２デバイスから第１デバイスへと向かう方向に電流を流してよい。
（項目３）
接続導体は、第２デバイスから第１デバイスへと電流を流してよい。
接続導体は、少なくとも一部において第１デバイスから第２デバイスへと向かう方向に電流を流してよい。
（項目４）
接続導体は、第１デバイス側において第２デバイスから離れる方向に向く第１電流経路を有してよい。
接続導体は、第１電流経路から折り返して第２デバイスへと近づく方向に向く第２電流経路を有してよい。
（項目５）
接続導体は、第２デバイス側において第１デバイスから離れる方向に向く第３電流経路を有してよい。
接続導体は、第３電流経路から折り返して第１デバイスへと近づく方向に向く第４電流経路を有してよい。
（項目６）
接続導体は、互いに隣接する電流経路同士で平行平板構造が形成されてよい。
（項目７）
半導体装置は、第１領域に複数の第１デバイスを備えてよい。
接続導体は、複数の第１デバイスをそれぞれ並列に接続してよい。
（項目８）
半導体装置は、第２領域に複数の第２デバイスを備えてよい。
接続導体は、複数の第２デバイスをそれぞれ並列に接続してよい。
（項目９）
接続導体は、第１電流経路と、第２電流経路と、第３電流経路と、第４電流経路と、を含むメイン導体部を備えてよい。
接続導体は、第１電流経路と複数の第１デバイスのそれぞれとの間を接続する複数の第１接続部を備えてよい。
接続導体は、第３電流経路と複数の第２デバイスのそれぞれとの間を接続する複数の第２接続部を備えてよい。
（項目１０）
半導体装置は、第１領域に複数の第１デバイスを備えてよい。
半導体装置は、第２領域に複数の第２デバイスを備えてよい。
複数の第１デバイスおよび複数の第２デバイスは、第１領域から第２領域に向かう方向に配列されてよい。
（項目１１）
接続導体は、外部と接続され、外部と電流を授受する端子部を更に有してよい。
（項目１２）
半導体装置は、基板をさらに備えてよい。
半導体装置は、基板に第１領域および第２領域が設けられてよい。
（項目１３）
基板は絶縁基板でよい。
（項目１４）
第１デバイスおよび第２デバイスは、絶縁ゲートバイポーラトランジスタまたはパワーＭＯＳＦＥＴでよい。
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る半導体装置１０の構成例を示す。
【図２】本実施形態に係る半導体装置１０の上面図の一例を示す。
【図３】本実施形態に係る半導体装置１０に搭載する回路の一例を示す。
【図４】本実施形態に係る基板１００の一例を示す。
【図５】本実施形態に係る半導体装置１０の一例を示す。
【図６】本実施形態に係る半導体装置１０で構成される３レベル回路の第１の動作例を示す。
【図７】図６に示す３レベル回路の第２の動作例を示す。
【図８】図６に示す３レベル回路の第３の動作例を示す。
【図９】図６に示す３レベル回路の第４の動作例を示す。
【図１０】図６に示す３レベル回路の第５の動作例を示す。
【図１１】図６に示す３レベル回路の第６の動作例を示す。
【発明を実施するための形態】
【０００７】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【０００８】
図１は、本実施形態に係る半導体装置１０の構成例を示す。半導体装置１０は、当該半導体装置１０に搭載された複数のデバイス間で電流を授受する場合に、インダクタンスおよび誘導磁場の影響を低減させるように当該電流を流す。これにより、外部または内部への当該電流による影響を低減させる。すなわち、デバイスのスイッチングによる当該電流の変化によって発生するサージ電圧を低減させる。半導体装置１０は、第１デバイス１１０と、第２デバイス１２０と、接続導体１３０とを備える。また、半導体装置１０は、基板１００も備える。
【０００９】
基板１００は、デバイスおよび当該デバイスを接続する回路板等を搭載する。基板１００は、一方の面にデバイス等を搭載する片面実装型基板が好ましい。基板１００は、ＤＣＢ（Ｄｉｒｅｃｔ  Ｃｏｐｐｅｒ  Ｂｏｎｄｉｎｇ）基板やＡＭＢ（Ａｃｔｉｖｅ  Ｍｅｔａｌ  Ｂｌａｚｅｄ）基板などの絶縁基板であることが望ましい。ここでは、本実施形態の基板１００が、第１領域１０２と、当該第１領域１０２に隣接する第２領域１０４を有する例を説明する。図１において、第１領域１０２および第２領域１０４は、基板１００の一方の面においてＸ軸方向に並ぶ領域として示す。
【００１０】
１以上の第１デバイス１１０は、第１領域１０２に搭載される。第１デバイス１１０は、第１領域１０２に複数搭載されてよい。また、第１デバイス１１０は、一例として、第１領域１０２から第２領域１０４に向かう方向に沿って配列される。
【００１１】
１以上の第２デバイス１２０は、第２領域１０４に搭載される。第２デバイス１２０は、第２領域１０４に複数搭載されてよい。また、第２デバイス１２０は、一例として、第１領域１０２から第２領域１０４に向かう方向に沿って配列される。図１は、３つの第１デバイス１１０および３つの第２デバイス１２０がＸ軸方向に配列される例を示す。
【００１２】
第１デバイス１１０および第２デバイス１２０は、例えば、電力機器の制御等に用いられる電力用半導体素子であり、ダイオード、トランジスタ、サイリスタ、トライアック等の電力制御用デバイスである。第１デバイスおよび第２デバイスは、一例として、逆阻止絶縁ゲートバイポーラトランジスタ（ＲＢ−ＩＧＢＴ）である。また、第１デバイス１１０および第２デバイス１２０は、これらの電力制御用デバイスを複数接続した回路であってもよい。
【００１３】
接続導体１３０は、第１デバイス１１０および第２デバイス１２０を電気的に接続する。接続導体１３０は、第１デバイス１１０および第２デバイス１２０の間の電圧差に応じて、第１デバイス１１０から第２デバイス１２０へ、または第２デバイス１２０から第１デバイス１１０へと電流を流す。
【００１４】
接続導体１３０は、複数の電流経路を含み、当該接続導体１３０に含まれる互いに逆向きの電流経路同士が少なくとも一部において隣接する。接続導体１３０は、銅やアルミニウムなどの電気伝導率の高い金属で構成されることが望ましく、また、一体に形成されることが望ましい。接続導体１３０は、第１電流経路１３２と、第２電流経路１３４と、第３電流経路１３６と、第４電流経路１３８と、第１接続部１４２と、第２接続部１４４と、端子部１４６とを有する。
【００１５】
第１電流経路１３２は、第１デバイス１１０側において第２デバイス１２０から離れる方向に向いて延伸する。即ち、第１電流経路１３２は、第１領域１０２側において第２領域１０４から離れる方向（例えば、−Ｘ軸方向）に向かって延伸する。第１電流経路１３２は、第２電流経路１３４と接続する。
【００１６】
第２電流経路１３４は、第１領域１０２側において、第１電流経路１３２から折り返して第２デバイス１２０へと近づく方向に向いて延伸する。即ち、第２電流経路１３４は、第１電流経路１３２から折り返して当該第１電流経路１３２と隣接し、第１領域１０２から第２領域１０４へと（例えば、＋Ｘ軸方向に）延伸する。
【００１７】
第３電流経路１３６は、第２デバイス１２０側において第１デバイス１１０から離れる方向に向いて延伸する。即ち、第３電流経路１３６は、第２領域１０４側において第１領域１０２から離れる方向（例えば、＋Ｘ軸方向）に向かって延伸する。第３電流経路１３６は、第４電流経路１３８と接続する。
【００１８】
第４電流経路１３８は、第２領域１０４側において、第３電流経路１３６から折り返して第１デバイス１１０へと近づく方向に向いて延伸する。即ち、第４電流経路１３８は、第３電流経路１３６から折り返して当該第３電流経路１３６と隣接し、第２領域１０４から第１領域１０２へと（例えば、−Ｘ軸方向に）延伸して、第２電流経路１３４と接続する。即ち、第２電流経路１３４側から見ると、第４電流経路１３８は、第２電流経路１３４に続いて第１領域１０２から離れる方向に向かって延伸する。さらに、第３電流経路１３６は、第４電流経路１３８から折り返して当該第４電流経路１３８と隣接し、第１領域１０２へと近づく。
【００１９】
即ち、第１電流経路１３２は、第３電流経路１３６に電気的に直接接続されずに、第２電流経路１３４および第４電流経路１３８を経由して第３電流経路１３６に接続される。このように、接続導体１３０は、第１電流経路１３２から、第２電流経路１３４、第４電流経路１３８、第３電流経路１３６までの連続する複数の電流経路によってメイン導体部が構成される。そして、半導体装置１０では、当該メイン導体部を用いて、第１デバイス１１０および第２デバイス１２０の間で電流を流す。メイン導体部と第１デバイス１１０の間は、第１接続部１４２によって接続され、メイン導体部と第２デバイス１２０の間は、第２接続部１４４によって接続される。
【００２０】
第１接続部１４２は、第１電流経路１３２と第１デバイス１１０の間を接続する。第１デバイス１１０が基板１００に複数搭載される場合、第１接続部１４２は、接続導体１３０に複数設けられる。そして、第１電流経路１３２と複数の第１デバイス１１０との間が、複数の第１接続部１４２によりそれぞれ接続される。第１接続部１４２は、一例として、基板１００の一方の面に銅などで形成された回路板等に接続され、当該回路板等を介して第１デバイス１１０に電気的に接続される。第１領域１０２に複数の第１デバイス１１０が設けられる場合、接続導体１３０は、第１接続部１４２により、複数の第１デバイス１１０とそれぞれ電気的に接続され、流れる電流を分岐または合流させる。
【００２１】
第２接続部１４４は、第３電流経路１３６と第２デバイス１２０の間を接続する。第２デバイス１２０が基板１００に複数搭載される場合、第２接続部１４４は、接続導体１３０に複数設けられる。そして、第３電流経路１３６と複数の第２デバイス１２０との間が、複数の第２接続部１４４によりそれぞれ接続される。第２接続部１４４は、一例として、基板１００の一方の面に形成された回路板等に接続され、当該回路板等を介して第２デバイス１２０に電気的に接続される。第２領域１０４に複数の第２デバイス１２０が設けられる場合、接続導体１３０は、第２接続部１４４により、複数の第２デバイス１２０とそれぞれ電気的に接続され、流れる電流を分岐または合流させる。
【００２２】
端子部１４６は、外部と接続され、外部と電流を授受する。端子部１４６は、半導体装置１０の外部と、第１デバイス１１０および／または第２デバイス１２０との間で電流（電圧）を授受する場合において、入力端子および／または出力端子として機能する。
【００２３】
以上の接続導体１３０は、電流経路の折り返しを介して、第１デバイス１１０から第２デバイス１２０へ、または第２デバイス１２０から第１デバイス１１０へと電流を流す。例えば、第２デバイス１２０と比較して第１デバイス１１０の電圧が高い場合、接続導体１３０は、第１デバイス１１０から第２デバイス１２０へと電流を流す。この際、接続導体１３０は、当該接続導体１３０の少なくとも一部において第２デバイス１２０から第１デバイス１１０へと向かう方向に電流を流す。本実施の形態においては、接続導体１３０は、第１電流経路１３２において、第２デバイス１２０から第１デバイス１１０へと向かう方向（−Ｘ方向）に電流を流す。
【００２４】
また、第１デバイス１１０と比較して第２デバイス１２０の電圧が高い場合、接続導体１３０は、第２デバイス１２０から第１デバイス１１０へと電流を流す。この際、接続導体１３０は、少なくとも一部において第１デバイス１１０から第２デバイス１２０へと向かう方向に電流を流す。本実施の形態においては、接続導体１３０は、第３電流経路１３６において、第１デバイス１１０から第２デバイス１２０へと向かう方向（＋Ｘ方向）に電流を流す。接続導体１３０は、互いに隣接する電流経路同士で平行平板構造を形成し、当該電流経路に発生するインダクタンスおよび誘導磁場を低減させる。接続導体１３０がインダクタンスおよび誘導磁場を低減させる動作について、図２を用いて説明する。
【００２５】
図２は、本実施形態に係る半導体装置１０の上面図の一例を示す。図２は、図１で説明した半導体装置１０の接続導体１３０が、第１デバイス１１０から第２デバイス１２０へと電流を流す例を示す。即ち、図２において、複数の第１デバイス１１０は、複数の第２デバイス１２０と比較して電位が高く、第２デバイス１２０へと電流を供給する例を説明する。
【００２６】
複数の第１接続部１４２は、複数の第１デバイス１１０からそれぞれ供給される電流を第１電流経路１３２へとそれぞれ伝達して合流させる。第１電流経路１３２は、Ｘ軸方向に並ぶ複数の第１デバイス１１０からそれぞれ供給される電流を、第２デバイス１２０から離れる方向（−Ｘ軸方向）へと合流させつつ流す。そして、第１電流経路１３２は第２電流経路１３４に接続され、第２電流経路１３４は、第１電流経路１３２からの電流を折り返して第２デバイス１２０に近づく方向（＋Ｘ軸方向）に流す。
【００２７】
ここで、第１電流経路１３２および第２電流経路１３４は隣接し、少なくとも一部において平行平板構造となる。即ち、平行平板において、互いに逆向きの電流が流れることになるので、第１電流経路１３２および第２電流経路１３４に流れる電流に起因してそれぞれ生じるインダクタンスおよび誘導磁場は、互いに逆向きとなって打ち消し合うことになる。したがって、第１電流経路１３２および第２電流経路１３４が隣接することにより、当該第１電流経路１３２および第２電流経路１３４に流れる電流に起因して発生するインダクタンスおよび誘導磁場を低減させることができる。
【００２８】
そして、第２電流経路１３４は第４電流経路１３８に接続され、第４電流経路１３８は、第２電流経路１３４からの電流を第２領域１０４側において第１デバイス１１０から離れる方向（＋Ｘ軸方向）に向かって流す。そして、第４電流経路１３８は第３電流経路１３６に接続され、第３電流経路１３６は、第４電流経路１３８からの電流を折り返して第１デバイス１１０に近づく方向（−Ｘ軸方向）に流す。
【００２９】
ここで、第３電流経路１３６および第４電流経路１３８は隣接し、少なくとも一部において平行平板構造となる。即ち、平行平板において、互いに逆向きの電流が流れることになるので、第３電流経路１３６および第４電流経路１３８に流れる電流に起因してそれぞれ生じるインダクタンスおよび誘導磁場は、互いに逆向きとなって打ち消し合うことになる。したがって、第３電流経路１３６および第４電流経路１３８が隣接することにより、当該第３電流経路１３６および第４電流経路１３８に流れる電流に起因して発生するインダクタンスおよび誘導磁場を低減させることができる。
【００３０】
そして、複数の第２接続部１４４は、第３電流経路１３６に流れる電流をそれぞれ分岐して第２デバイス１２０にそれぞれ供給する。即ち、第３電流経路１３６は、Ｘ軸方向に並ぶ複数の第１デバイス１１０からそれぞれ供給される電流を、第２領域１０４側において第１デバイス１１０に向く方向（＋Ｘ軸方向）へと流しつつ、Ｘ軸方向に並ぶ複数の第２デバイス１２０へと分岐する。
【００３１】
これによって、本実施形態に係る接続導体１３０は、インダクタンスおよび誘導磁場の発生を低減させつつ、複数の第１デバイス１１０から複数の第２デバイス１２０へと電流を流すことができる。このように、接続導体１３０は、自らに流れる電流を折り返し、互いに逆向きの電流経路同士を隣接させることでインダクタンスおよび誘導磁場の発生を低減させる。したがって、接続導体１３０は、他の接続導体、電流経路等を必要とせずに、インダクタンスおよび誘導磁場の発生を低減させることができる。そのため、接続導体１３０は、一のデバイスから他のデバイスに電流を供給する電流経路を設ける場合であっても、外部または内部のデバイスに与えるインダクタンスおよび誘導磁場の影響を低減させることができる。
【００３２】
このように、本実施形態に係る接続導体１３０は、外部または内部のデバイスに与える影響を低減させるので、他の電流経路との兼ね合いを考慮することなしに配線できる。そのため、接続導体１３０により、大電力送受信、制御回路等の配線設計の自由度を高めることができる。また、接続導体１３０は、内部のデバイスに与える影響を低減させるので、当該接続導体１３０に近接してデバイス（例えば、第１デバイス１１０、第２デバイス１２０）等を配置することができる。そのため、半導体装置１０の実装面積を小さくすることができる。
【００３３】
図３は、本実施形態に係る半導体装置１０に搭載する回路の一例を示す。図３は、予め定められた複数種類の電力の供給を切り換える半導体装置の一例を示す。半導体装置は、端子Ｍおよび端子Ｕの間に、第１デバイス１１０および第２デバイス１２０を逆並列に接続する。また、半導体装置は、端子Ｐおよび端子Ｎの間に、第３デバイス２１０および第４デバイス２２０を直列に接続する。更に、半導体装置は、端子Ｐおよび端子Ｎの間に、第５デバイス２１２および第６デバイス２２２を直列に接続する。
【００３４】
第１デバイス１１０のコレクタ端子は端子Ｍと接続され、エミッタ端子は端子Ｕに接続される。即ち、第１デバイス１１０は、ベース端子に供給される制御信号に応じて、端子Ｍから端子Ｕに電流を流すか否かを切り換えるスイッチングデバイスとして機能する。また、第２デバイス１２０のコレクタ端子は端子Ｕと接続され、エミッタ端子は端子Ｍに接続される。即ち、第２デバイス１２０は、ベース端子に供給される制御信号に応じて、端子Ｕから端子Ｍに電流を流すか否かを切り換えるスイッチングデバイスとして機能する。
【００３５】
第３デバイス２１０のコレクタ端子は端子Ｐと接続され、エミッタ端子は端子Ｕに接続される。即ち、第３デバイス２１０は、ベース端子に供給される制御信号に応じて、端子Ｐから端子Ｕに電流を流すか否かを切り換えるスイッチングデバイスとして機能する。第４デバイス２２０のコレクタ端子は端子Ｕと接続され、エミッタ端子は端子Ｎに接続される。即ち、第４デバイス２２０は、ベース端子に供給される制御信号に応じて、端子Ｕから端子Ｎに電流を流すか否かを切り換えるスイッチングデバイスとして機能する。
【００３６】
第５デバイス２１２は、一方のアノード端子が端子Ｕに接続され、他方のカソード端子が端子Ｐに接続され、端子Ｕから端子Ｐへと一方向に電流を流すダイオードである。即ち、第５デバイス２１２は、端子Ｐおよび端子Ｕの間において、第３デバイス２１０と逆並列に接続される。第６デバイス２２２は、一方のアノード端子が端子Ｎに接続され、他方のカソード端子が端子Ｕに接続され、端子Ｎから端子Ｕへと一方向に電流を流すダイオードである。即ち、第６デバイス２２２は、端子Ｕおよび端子Ｎの間において、第４デバイス２２０と逆並列に接続される。
【００３７】
以上の半導体装置を、図１および図２で説明した半導体装置１０として構成する例を図４および図５を用いて説明する。図４は、本実施形態に係る基板１００の一例を示す。基板１００は、接続導体１３０が接続され、半導体装置１０となる。即ち、図４に示す基板１００は、接続導体１３０が搭載される前の状態を示す。また、図４に示す基板１００は、デバイス、および回路板等が既に形成された状態を示す。
【００３８】
基板１００には、例えば、端子Ｐ、端子Ｎ、端子Ｍ、および端子Ｕに対応する回路板が形成される。なお、同一の符号で示す複数の端子は、ワイヤボンディング等でそれぞれ電気的に接続される。
【００３９】
第１デバイス１１０は、第１領域１０２に設けられ、端子Ｍおよび端子Ｕとにそれぞれ接続される。第２デバイス１２０は、第２領域１０４に設けられ、端子Ｍおよび端子Ｕとにそれぞれ接続される。また、第３デバイス２１０および第５デバイス２１２は、第１領域１０２に設けられ、端子Ｐおよび端子Ｕとにそれぞれ接続される。また、第４デバイス２２０および第６デバイス２２２は、第２領域１０４に設けられ、端子Ｕおよび端子Ｎとにそれぞれ接続される。図４は、各デバイスがそれぞれ３個ずつ基板１００に搭載される例を示す。
【００４０】
なお、端子Ｍ、端子Ｎ、端子Ｐ、および端子Ｕは、基板１００に設けられた回路板等に接続されてよい。同様に、第１デバイス１１０、第２デバイス１２０、第３デバイス２１０、および第４デバイス２２０の各電極は、基板１００に設けられた回路板等に接続されてよい。
【００４１】
図５は、本実施形態に係る半導体装置１０の一例を示す。図５は、図４に示す基板１００に、本実施形態に係る接続導体１３０が搭載された状態を示す。また、図５は、接続導体２３０、接続導体２４０、および接続導体２５０をさらに搭載する。
【００４２】
接続導体１３０の第１接続部１４２は、第１領域１０２の端子Ｕに接続され、第２接続部１４４は、第２領域１０４の端子Ｕに接続される。また、半導体装置１０のＵ端子として機能する端子部１４６は、一例として、外部の負荷と接続される。これにより、第１デバイス１１０のエミッタ端子は、接続導体１３０を経由して第２デバイス１２０のコレクタ端子と接続される。また、第１デバイス１１０のエミッタ端子および第２デバイス１２０のコレクタ端子は、端子部１４６を経由して外部の負荷と接続される。
【００４３】
接続導体２３０は、第３接続部２３２および第４接続部２３４を有する。第３接続部２３２は、第１領域１０２の端子Ｍに接続され、第４接続部２３４は、第２領域１０４の端子Ｍに接続される。また、接続導体２３０は、一例として、半導体装置１０のＭ端子として機能する端子部を更に有し、当該端子部は外部の電源と接続される。これにより、第１デバイス１１０のコレクタ端子は、接続導体２３０を経由して第２デバイス１２０のエミッタ端子と接続される。また、第１デバイス１１０のコレクタ端子および第２デバイス１２０のエミッタ端子は、外部の電源と接続される。
【００４４】
接続導体２４０は、第５接続部２４２を有する。第５接続部２４２は、第１領域１０２の端子Ｐに接続する。また、接続導体２４０は、一例として、半導体装置１０のＰ端子として機能する端子部を更に有し、当該端子部は外部の電源と接続される。これにより、複数の第３デバイス２１０のコレクタ端子および第５デバイス２１２のカソード端子は、接続導体２４０を経由して外部の電源と接続される。
【００４５】
接続導体２５０は、第６接続部２５２を有する。第６接続部２５２は、第２領域１０４の端子Ｎに接続する。また、接続導体２５０は、一例として、半導体装置１０のＮ端子として機能する端子部を更に有し、当該端子部は外部の電源または基準電位と接続される。これにより、複数の第４デバイス２２０のエミッタ端子および第６デバイス２２２のアノード端子は、接続導体２５０を介して外部の電源または基準電位と接続される。
【００４６】
以上のように接続された半導体装置１０は、図１および図２で説明したように、第１デバイス１１０から第２デバイス１２０に電流が流れる場合、接続導体１３０により、インダクタンスおよび誘導磁場の発生を低減させつつ、複数の第１デバイス１１０から複数の第２デバイス１２０へと電流を流すことができる。
【００４７】
半導体装置１０においては、外部から接続導体２４０を経由して（即ち、端子Ｐから）電流が入力され、接続導体２３０を経由して（即ち、端子Ｍから）外部へと電流が出力される場合がある。この場合、接続導体２３０は、第１領域１０２において、接続導体２４０と平行平板構造であることから、接続導体２３０および接続導体２４０をそれぞれ流れる電流は、互いに逆向きの電流経路同士となる。このため、半導体装置１０において、インダクタンスおよび誘導磁場の発生を低減させることができる。
また、半導体装置１０においては、外部から接続導体２３０を経由して（即ち、端子Ｍから）電流が入力され、接続導体２５０を経由して（即ち、端子Ｎから）外部へと電流が出力される場合もある。この場合、接続導体２３０は、第２領域１０４において、接続導体２５０と平行平板構造であることから、接続導体２３０および接続導体２５０をそれぞれ流れる電流は、互いに逆向きの電流経路同士となる。このため、半導体装置１０において、インダクタンスおよび誘導磁場の発生を低減させることができる。
【００４８】
以上のように、半導体装置１０は、互いに逆向きに電流が流れる相異なる独立した２つの電流経路がある場合、当該２つの電流経路が平行平板構造となるように隣接して設けられる。また、半導体装置１０は、逆向きに電流が流れる対応する電流経路がなく１つの独立した電流経路がある場合、当該１つの電流経路が複数の連続する電流経路を有し、互いに逆向きの電流経路同士が少なくとも一部において隣接するように設けられる。これにより、半導体装置１０は、電力制御によって流れる電流に応じて発生するパワー半導体モジュール全体のインダクタンスおよび誘導磁場を低減させることができる。すなわち、半導体モジュールに発生するサージ電圧を低減させることができる。
【００４９】
また、図５に示す半導体装置１０を１または複数組み合わせることで、インダクタンスおよび誘導磁場を低減させる電力制御回路を構成することができる。特に、２以上の半導体装置１０を組み合わせることで、より複雑な電力制御回路を構成することができる。例えば、２つの半導体装置１０を組み合わせることで、複数の信号レベルを出力する電力制御回路を構成できる。
【００５０】
図６は、本実施形態に係る半導体装置１０で構成される３レベル回路の第１の動作例を示す。図６は、図５に示す半導体装置１０を２相にした電力制御回路の一例を示す。図６において、第１相の半導体装置１０が備える部材を、小文字のａで示し（例えば、第１デバイス１１０ａ、第２デバイス１２０ａ等）、第２相の半導体装置１０が備える部材を、小文字のｂで示す（例えば、第１デバイス１１０ｂ、第２デバイス１２０ｂ等）。
【００５１】
端子Ｍａと端子Ｍｂ、端子Ｎａと端子Ｎｂ、および端子Ｐａと端子Ｐｂは、電気的にそれぞれ接続される。端子Ｍａおよび端子Ｐａの間に、電源Ｅ１が接続される。即ち、端子Ｍｂおよび端子Ｐｂの間に、電源Ｅ１が接続されることになる。また、端子Ｍａおよび端子Ｎａの間に、電源Ｅ２が接続される。即ち、端子Ｍｂおよび端子Ｎｂの間に、電源Ｅ２が接続されることになる。電源Ｅ１およびＥ２は、略同一の電源でよい。また、端子Ｕａおよび端子Ｕｂの間に、負荷Ｌが接続される。図６に示す電力制御回路は、負荷Ｌに複数の信号レベルを出力する。
【００５２】
図６は、第１デバイス１１０ａおよび第２デバイス１２０ｂをオンにし、それ以外のスイッチングデバイスをすべてオフにした例を示す。この場合、電源Ｅ１およびＥ２は、負荷Ｌと閉回路にならないので、電力制御回路が負荷Ｌに供給する電圧レベルは０［Ｖ］となる。
【００５３】
図７は、図６に示す３レベル回路の第２の動作例を示す。図７は、第２デバイス１２０ｂおよび第３デバイス２１０ａをオンにし、それ以外のスイッチングデバイスをすべてオフにした例を示す。この場合、電源Ｅ１が負荷Ｌと閉回路になるので、電力制御回路は負荷Ｌに予め定められた一定の電圧レベルを供給することができる。ここで、予め定められた一定の電圧レベルを＋Ｖ［Ｖ］とする。
【００５４】
図８は、図６に示す３レベル回路の第３の動作例を示す。図８は、第３デバイス２１０ａおよび第４デバイス２２０ｂをオンにし、それ以外のスイッチングデバイスをすべてオフにした例を示す。この場合、電源Ｅ１およびＥ２が負荷Ｌと閉回路になるので、電力制御回路は負荷Ｌに予め定められた一定の電圧レベルを供給することができる。ここで、一例として、電源Ｅ１およびＥ２が略同一の電圧を供給すると、予め定められた一定の電圧レベルは＋２Ｖ［Ｖ］となる。以上のように、図６に示す電力制御回路は、負荷Ｌに０［Ｖ］、＋Ｖ［Ｖ］、および＋２Ｖ［Ｖ］といった３つの正の信号レベルを供給することができる。
【００５５】
図９は、図６に示す３レベル回路の第４の動作例を示す。図９は、第１デバイス１１０ｂおよび第２デバイス１２０ａをオンにし、それ以外のスイッチングデバイスをすべてオフにした例を示す。この場合、電源Ｅ１およびＥ２は、負荷Ｌと閉回路にならないので、電力制御回路が負荷Ｌに供給する電圧レベルは０［Ｖ］となる。
【００５６】
図１０は、図６に示す３レベル回路の第５の動作例を示す。図１０は、第３デバイス２１０ｂおよび第４デバイス２２０ａをオンにし、それ以外のスイッチングデバイスをすべてオフにした例を示す。この場合、電源Ｅ１およびＥ２が負荷Ｌと閉回路となり、電力制御回路は負荷Ｌに予め定められた一定の電圧レベルを供給することができる。図１０において、電源Ｅ１およびＥ２と負荷Ｌとの接続は、図８に示す電源Ｅ１およびＥ２と負荷Ｌとの接続とは逆向きになるので、予め定められた一定の電圧レベルは−２Ｖ［Ｖ］となる。
【００５７】
図１１は、図６に示す３レベル回路の第６の動作例を示す。図１１は、第１デバイス１１０ｂおよび第４デバイス２２０ａをオンにし、それ以外のスイッチングデバイスをすべてオフにした例を示す。この場合、電源Ｅ２が負荷Ｌと閉回路になるので、電力制御回路は負荷Ｌに予め定められた一定の電圧レベルを供給することができる。図１１において、電源Ｅ２と負荷Ｌとの接続は、図７に示す電源Ｅ１と負荷Ｌとの接続とは逆向きになるので、予め定められた一定の電圧レベルは−Ｖ［Ｖ］となる。以上のように、図６に示す電力制御回路は、負荷Ｌに０［Ｖ］、−Ｖ［Ｖ］、および−２Ｖ［Ｖ］といった３つの負の信号レベルを供給することができる。
【００５８】
以上のように、本実施形態に係る半導体装置１０は、複数の信号レベルを出力する電力制御回路を構成することができる。また、半導体装置１０の端子等が短絡して、例えば、同一の半導体装置１０における第１デバイス１１０および第２デバイス１２０の間で過大な電流が流れた場合に、インダクタンスおよび誘導磁場を低減させることができ、素子の破壊等を防止することができる。また、同一の半導体装置１０における端子Ｐおよび端子Ｍの間で過大な電流が流れた場合に、インダクタンスおよび誘導磁場を低減させることができ、素子の破壊等を防止することができる。同様に、同一の半導体装置１０における端子Ｎおよび端子Ｍの間で過大な電流が流れた場合に、インダクタンスおよび誘導磁場を低減させることができ、素子の破壊等を防止することができる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００６０】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【００６１】
１０  半導体装置、１００  基板、１０２  第１領域、１０４  第２領域、１１０  第１デバイス、１２０  第２デバイス、１３０  接続導体、１３２  第１電流経路、１３４  第２電流経路、１３６  第３電流経路、１３８  第４電流経路、１４２  第１接続部、１４４  第２接続部、１４６  端子部、２１０  第３デバイス、２１２  第５デバイス、２２０  第４デバイス、２２２  第６デバイス、２３０  接続導体、２３２  第３接続部、２３４  第４接続部、２４０  接続導体、２４２  第５接続部、２５０  接続導体、２５２  第６接続部
【図１】
2016140008.tif 000003
【図２】
2016140008.tif 000004
【図３】
2016140008.tif 000005
【図４】
2016140008.tif 000006
【図５】
2016140008.tif 000007
【図６】
2016140008.tif 000008
【図７】
2016140008.tif 000009
【図８】
2016140008.tif 000010
【図９】
2016140008.tif 000011
【図１０】
2016140008.tif 000012
【図１１】
2016140008.tif 000013
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
第１領域の複数の第１デバイスと、
第２領域の１以上の第２デバイスと、
前記第１デバイスおよび前記第２デバイスを電気的に接続する接続導体と、
を備え、
前記接続導体は、当該接続導体に含まれる互いに逆向きの電流経路同士が少なくとも一部において隣接し、複数の前記第１デバイスをそれぞれ並列に接続する
半導体装置。
【請求項２】
前記接続導体は、前記第１デバイスから前記第２デバイスへと電流を流し、少なくとも一部において前記第２デバイスから前記第１デバイスへと向かう方向に電流を流す請求項１に記載の半導体装置。
【請求項３】
前記接続導体は、前記第２デバイスから前記第１デバイスへと電流を流し、少なくとも一部において前記第１デバイスから前記第２デバイスへと向かう方向に電流を流す請求項１に記載の半導体装置。
【請求項４】
前記接続導体は、前記第１デバイス側において前記第２デバイスから離れる方向に向く第１電流経路と、前記第１電流経路から折り返して前記第２デバイスへと近づく方向に向く第２電流経路と、を有する請求項１から３のいずれか一項に記載の半導体装置。
【請求項５】
前記接続導体は、前記第２デバイス側において前記第１デバイスから離れる方向に向く第３電流経路と、前記第３電流経路から折り返して前記第１デバイスへと近づく方向に向く第４電流経路と、を有する請求項４に記載の半導体装置。
【請求項６】
前記接続導体は、互いに隣接する前記電流経路同士で平行平板構造が形成される請求項１から５のいずれか一項に記載の半導体装置。
【請求項７】
（削除）
【請求項８】
前記第２領域に複数の前記第２デバイスを備え、
前記接続導体は、複数の前記第２デバイスをそれぞれ並列に接続する
請求項１から６のいずれか一項に記載の半導体装置。
【請求項９】
前記接続導体は、
前記第１電流経路と、前記第２電流経路と、前記第３電流経路と、前記第４電流経路と、を含むメイン導体部と、
前記第１電流経路と複数の前記第１デバイスのそれぞれとの間を接続する複数の第１接続部と、
前記第３電流経路と複数の前記第２デバイスのそれぞれとの間を接続する複数の第２接続部と、
を備える
請求項５に記載の半導体装置。
【請求項１０】
前記第１領域に複数の前記第１デバイスを備え、
前記第２領域に複数の前記第２デバイスを備え、
複数の前記第１デバイスおよび複数の前記第２デバイスは、前記第１領域から前記第２領域に向かう方向に配列される
請求項１から６、８、および９のいずれか一項に記載の半導体装置。
【請求項１１】
前記接続導体は、外部と接続され、外部と電流を授受する端子部を更に有する請求項１から６、および、８から１０のいずれか一項に記載の半導体装置。
【請求項１２】
基板をさらに備え、
前記基板に前記第１領域および前記第２領域が設けられている請求項１から６、および、８から１１のいずれか一項に記載の半導体装置。
【請求項１３】
前記基板は絶縁基板である請求項１２に記載の半導体装置。
【請求項１４】
前記第１デバイスおよび前記第２デバイスは、絶縁ゲートバイポーラトランジスタまたはパワーＭＯＳＦＥＴである請求項１から６、および、８から１３のいずれか一項に記載の半導体装置。
【国際調査報告】
2016140008.tif 000014
2016140008.tif 000015
2016140008.tif 000016